(57)【要約】【課題】記録再生装置において、ディスクをロード後、記録または再生動作開始までの時間を短縮可能な技術の提供。【解決手段】発光波長の互いに異なる複数のレーザーダイオードのうち点灯駆動され記録または再生動作に使用されたものを使用履歴として記憶し、新たにディスクをロードして記録または再生を行うとき、該複数のレーザーダイオードのうち一部または全部を上記使用履歴に基づき設定した順番で点灯させることにより、該ロードされているディスクに対するフォーカスサーボ引き込みのシーケンスを決め、かつディスクの認識を行い、記録または再生を開始する構成とし、ディスクのロード後の、記録開始または再生開始までの時間を短縮可能にする。【選択図】  図１
2004241076.tif 000002
【特許請求の範囲】
【請求項１】
複数種類のディスクに対し情報の記録、再生のいずれか一方または両方を行う記録再生装置であって、
発光波長の互いに異なる複数のレーザーダイオードと、
上記複数のレーザーダイオードを個別に点灯駆動可能な駆動手段と、
上記複数のレーザーダイオードのうち点灯駆動され記録または再生動作に使用されたものを使用履歴として記憶可能な記憶手段と、
上記複数のレーザーダイオードのうち一部または全部を上記使用履歴に基づき設定した順番で点灯させることで、ロードされているディスクに対するフォーカスサーボ引き込みのシーケンスを決め、ディスクの認識を行う制御手段と、
を備え、上記レーザーダイオードの点灯順序により、ディスクのロード後の、記録開始または再生開始までの時間を短縮可能な構成としたことを特徴とする記録再生装置。
【請求項２】
複数種類のディスクに対し情報の記録、再生のいずれか一方または両方を行う記録再生装置であって、
発光波長の互いに異なる複数のレーザーダイオードと、
上記複数のレーザーダイオードを個別に点灯駆動可能な駆動手段と、
上記複数のレーザーダイオードのうち点灯駆動され記録または再生動作に使用されたものを使用履歴として記憶可能な記憶手段と、
ロードされたディスクに対応するレーザーダイオードの選択を、上記複数のレーザーダイオードのうち一部または全部を、上記使用履歴に基づき設定した順番で切替えて点灯させることで行うとともに、該点灯によりディスクの認識を行い、該選択したレーザーダイオードにより該ディスクに対し情報の記録または再生を開始させる制御手段と、
を備え、上記レーザーダイオードの点灯順序により、ディスクのロード後の、記録開始または再生開始までの時間を短縮可能な構成としたことを特徴とする記録再生装置。
【請求項３】
上記制御手段は、上記使用履歴のうち最新の使用履歴のレーザーダイオードから順に点灯させるように点灯順序を設定する構成である請求項１または請求項２に記載の記録再生装置。
【請求項４】
上記制御手段は、上記使用履歴に基づき使用頻度の高いレーザーダイオードから順に点灯させるように点灯順序を設定する構成である請求項１または請求項２に記載の記録再生装置。
【請求項５】
複数種類のディスクに対し情報の記録、再生のいずれか一方または両方を行う記録再生方法であって、
ディスクを装置内にロードするステップと、
発光波長の互いに異なる複数のレーザーダイオードの点灯順序を、装置内に記憶された使用履歴に基づき設定するステップと、
上記設定された点灯順序に従い、レーザーダイオードを切替えて点灯させるステップと、
点灯されているレーザーダイオードにつき、フォーカスサーボの引き込みを行い、ロードされたディスクを認識するとともに、該ディスクに対応するレーザーダイオードを選択するステップと、
該選択したレーザーダイオードにより情報の記録または再生を開始するステップと、
を経て、ロードされたディスクに対し、記録または再生を行うことを特徴とする記録再生方法。
【請求項６】
複数種類のディスクに対し情報の記録、再生のいずれか一方または両方を行う記録再生方法であって、
記録または再生用に使用した発光波長の互いに異なる複数のレーザーダイオードを記憶し使用履歴を作成するステップと、
ディスクを装置内にロードするステップと、
上記複数のレーザーダイオードの点灯順序を上記使用履歴に基づき設定するステップと、
上記設定された点灯順序に従い、レーザーダイオードを切替えて点灯させるステップと、
点灯されているレーザーダイオードにつき、フォーカスサーボの引き込みを行い、上記ロードされたディスクを認識するとともに、該ディスクに対応したレーザーダイオードを選択するステップと、
上記切替えをやめ上記選択したレーザーダイオードを用いて情報の記録または再生を開始するステップと、
を経て、ロードされたディスクに対し、記録または再生を行うことを特徴とする記録再生方法。
【発明の詳細な説明】
【０００１】
【発明の属する技術分野】
本発明は、情報の記録、再生のいずれか一方または両方を行う記録再生装置に係り、特に、複数種類のディスクに対応し発光波長の異なる複数のレーザーダイオードを備えたものに関する。
【０００２】
【従来の技術】
本発明に関連する従来技術としては、例えば、特開平１０−６４１６６号公報（特許文献１）に記載されたものがある。該特開平１０−６４１６６号公報には、電源オン時やリセット解除時に、直前のディスク種別の検出結果等を有効に利用して次の再生処理を迅速に開始できるようにするために、ロードされたディスク種別を検出し、該検出結果に対応してピックアップ部の光学系のレンズ設定状態を切換え、該切換え情報に基づき復調器の設定を行い、再生処理に移行するようにした構成が記載されている。
【０００３】
【特許文献１】
特開平１０−６４１６６号公報
【０００４】
【発明が解決しようとする課題】
上記特開平１０−６４１６６号公報に記載の技術は、現在ロードされているディスクに対し状態検出器によりレンズ切換え部の機械的なレンズ設定状態を検出することでディスクの種別を検出し、メモリに記憶されている直前にロードしたディスクの場合の状態情報と比較してディスク種別の異同を判別するに過ぎない。すなわち、該公報記載の技術は、直前にロードしたディスクの場合のレンズ設定状態情報から、現在ロードされているディスク種別を判別するに過ぎず、複数のレーザーダイオードを用いる技術ではないし、さらに、該複数のレーザーダイオードを記憶した使用履歴を利用するものではない。
本発明の課題点は、上記従来技術の状況に鑑み、記録再生装置において、ロードしたディスクに対するフォーカスサーボの引き込みやトラッキングサーボの引き込みや、複数のレーザーダイオード中から対応するものの選択などを短期間で済ませ、記録または再生動作を短時間のうちに開始できるようにすることである。
本発明の目的は、かかる課題点を解決できる技術の提供にある。
【０００５】
【課題を解決するための手段】
上記課題点を解決するために、本発明では、基本的に、記録再生装置として、発光波長の互いに異なる複数のレーザーダイオードのうち点灯駆動され記録または再生動作に使用されたものを使用履歴として記憶し、新たにディスクをロードして記録または再生を行うとき、該複数のレーザーダイオードのうち一部または全部を上記使用履歴に基づき設定した順番で点灯させることにより、該ロードされているディスクに対するフォーカスサーボ引き込みのシーケンスを決め、かつディスクの認識を行い、記録または再生を開始する構成とし、ディスクのロード後の、記録開始または再生開始までの時間を短縮可能にする。
具体的には、
（１）複数種類のディスクをロード可能な記録再生装置として、発光波長の互いに異なる複数のレーザーダイオードと、上記複数のレーザーダイオードを個別に点灯駆動可能な駆動手段（該当実施例：符号９）と、上記複数のレーザーダイオードのうち点灯駆動され記録または再生動作に使用されたものを使用履歴として記憶可能な記憶手段（該当実施例：符号７）と、上記複数のレーザーダイオードのうち一部または全部を上記使用履歴に基づき設定した順番で点灯させることで、ロードされているディスクに対するフォーカスサーボ引き込みのシーケンスを決め、ディスクの認識を行う制御手段（該当実施例：符号６）とを備え、上記レーザーダイオードの点灯順序により、ディスクのロード後の、記録開始または再生開始までの時間を短縮可能な構成とする。
（２）複数種類のディスクをロード可能な記録再生装置として、発光波長の互いに異なる複数のレーザーダイオードと、上記複数のレーザーダイオードを個別に点灯駆動可能な駆動手段（該当実施例：符号９）と、上記複数のレーザーダイオードのうち点灯駆動され記録または再生動作に使用されたものを使用履歴として記憶可能な記憶手段（該当実施例：符号７）と、ロードされたディスクに対応するレーザーダイオードの選択を、上記複数のレーザーダイオードのうち一部または全部を、上記使用履歴に基づき設定した順番で切替えて点灯させることで行うとともに、該点灯によりディスクの認識を行い、該選択したレーザーダイオードにより該ディスクに対し情報の記録または再生を開始させる制御手段（該当実施例：符号６）とを備え、上記レーザーダイオードの点灯順序により、ディスクのロード後の、記録開始または再生開始までの時間を短縮可能な構成とする。
【０００６】
【発明の実施の形態】
以下、本発明の実施例につき、図面を用いて説明する。
図１は本発明の実施例としての記録再生装置の構成例を示す図である。
図１において、１はロードされたディスク、２は、発光波長の互いに異なる複数のレーザーダイオードを備えた光ピックアップ部、３はスピンドルモータや各回路などを支持するユニットベース、４は、光ピックアップ部２により取り込んだ反射光から、ディスク１の記録データや該ディスク１固有の管理番号や特性データなどを検出し、電気信号に変換して出力するための光検出器、５は、該光検出器からの信号を信号処理する信号処理回路、６は、装置全体のシステム制御を行う制御手段としてのシステム制御部、７は、少なくとも上記複数のレーザーダイオードのうち記録または再生に使用したレーザーダイオードの使用履歴を記憶しておく記憶手段としてのレーザーダイオード使用履歴記録部、８は、コンピュータ等の外部機器への接続をコントロールするインターフェース制御部、９は、上記複数のレーザーダイオードの駆動信号を含む光ピックアップ部２の駆動信号を形成する駆動手段としての光ピックアップ駆動回路、１０は、ユニットベース３内のスピンドルモータや光ピックアップ駆動用モータや各回路を駆動するためのユニットベース駆動回路、１１はディスク１を回転駆動するスピンドルモータである。上記特性データとしては、ディスク１の物理的特性であるトラックピッチ長、偏重心量、偏心量などがある。レーザーダイオード使用履歴記録部７では、使用したレーザーダイオードの使用履歴を時系列順に記憶する。該レーザーダイオード使用履歴記録部７も、システム制御部６により管理される。
【０００７】
上記構成において、記録再生装置の電源が入れられ、ディスク１がターンテーブル（図示なし）に装填（ロード）され、記録モードまたは再生モードの操作指示がされると、システム制御部６が、レーザーダイオード使用履歴記録部７内に記憶されている使用履歴に基づき、光ピックアップ部２内の複数のレーザーダイオード（図示なし）の点灯順序を設定する。該設定する点灯順序としては、最新の使用履歴の（＝直前に使用した）レーザーダイオードから順に点灯させる点灯順序や、使用頻度の高いレーザーダイオードから順に点灯させる点灯順序などがある。例えば、発光波長の互いに異なる３個のレーザーダイオードＬＤＡ、ＬＤＢ及びＬＤＣが光ピックアップ部２内に備えられている構成において、最新の使用履歴のレーザーダイオードから順に点灯させる点灯順序の場合、レーザーダイオード使用履歴記録部７内に記憶されているこれまでの使用履歴がＬＤＡ、ＬＤＢ、ＬＤＣの順、すなわちＬＤＡが直前に使用され、ＬＤＣが最も以前に使用されたとされるとき、システム制御部６は、新たにディスクがロードされた状態での点灯順序を、直前に使用されたＬＤＡを最初に点灯させ、次にこれを切替えてＬＤＢを点灯させ、次にさらにこれを切替えてＬＤＣを点灯させる点灯順序を設定する。
【０００８】
さらに、システム制御部６は、該設定した点灯順序に従い、光ピックアップ部駆動回路９を制御し、レーザーダイオードを切替えて点灯させるとともに、点灯されているレーザーダイオードによるフォーカスサーボの引き込みを行い、ユニットベース駆動回路１０を制御して、スピンドルモータ１１を所定速度で回転させ、さらに、光ピックアップ部駆動回路９を制御してトラッキングサーボの引き込みを行い、現在ロードされているディスクを認識して該複数のレーザーダイオードのうちから該ディスクに対応したものを選択する。該選択後、システム制御部６は、光ピックアップ部駆動回路９や、ユニットベース駆動回路１０や、信号処理回路５やインターフェース制御部８などを制御して、装置に対し、記録動作または光検出器４で検出したデータに基づく再生動作を開始させるとともに、レーザーダイオード使用履歴記録部７を制御して、上記選択したレーザーダイオードを該レーザーダイオード使用履歴記録部７に記憶させる。
【０００９】
上記選択動作により、例えば、上記レーザーダイオードＬＤＣが選択されたとすると、レーザーダイオード使用履歴記録部７には該レーザーダイオードＬＤＣが最新の使用履歴として記憶され、ＬＤＣ、ＬＤＡ、ＬＤＢの時系列の履歴が記憶される。この場合、３個のレーザーダイオードＬＤＡ、ＬＤＢ、ＬＤＣは、点灯順序ＬＤＡ、ＬＤＢ、ＬＤＣに従って、全部が点灯されることになる。もしも、上記選択動作において、レーザーダイオードＬＤＢが選択された場合には、３個のレーザーダイオードＬＤＡ、ＬＤＢ、ＬＤＣのうち、ＬＤＡとＬＤＢとが点灯され、ＬＤＣは点灯されないで、ＬＤＢが点灯状態で記録または再生動作が開始され、レーザーダイオード使用履歴記録部７にはＬＤＢが最新の使用履歴としてＬＤＢ、ＬＤＡ、ＬＤＣの時系列の履歴が記憶される。同様に、レーザーダイオードＬＤＡが選択された場合には、３個のレーザーダイオードのうち、最初の点灯順序のＬＤＡのみが点灯され、ＬＤＢとＬＤＣは点灯されず、ＬＤＡが点灯状態で記録または再生動作が開始される。
レーザーダイオード使用履歴記録部７にはＬＤＡが最新の使用履歴としてＬＤＡ、ＬＤＢ、ＬＤＣの時系列の使用履歴が記憶される。従って、ディスクがロードされた後、記録または再生動作が開始されるまでの時間は、点灯順序が最初の該レーザーダイオードＬＤＡが選択された場合が最も短く、次にＬＤＡが選択された場合が該時間が短く、ＬＤＣが選択された場合は最も該時間が長い。すなわち、直前に使用したディスクを新たにロードして記録または再生を行う場合が最新の使用履歴のレーザーダイオードを使用することになり、ディスクロード後、記録または再生動作開始までの時間を最短とすることができる。
【００１０】
上記記録または再生動作を終了後、さらにまた、あらためて新たなディスクをロードして、記録または再生を行おうとするとき、システム制御部６は、該３個のレーザーダイオードＬＤＡ、ＬＤＢ、ＬＤＣの点灯順序の設定を、上記前回の選択でＬＤＣが選択されている場合は、ＬＤＣ、ＬＤＡ、ＬＤＢの点灯順序になるように設定し、上記前回の選択でＬＤＢが選択されている場合は、ＬＤＢ、ＬＤＡ、ＬＤＣの点灯順序になるように設定し、また、上記前回の選択でＬＤＡが選択されている場合は、ＬＤＡ、ＬＤＢ、ＬＤＣの点灯順序になるように設定する。設定後の動作は上記場合とほぼ同様である。
【００１１】
図２は、図１の記録再生装置の動作説明図である。以下、図２の説明用語中の符号は図１の符号を用いるものとする。
図２において、
（１）先ず、ディスク１が記録再生装置の所定位置にロードされる（ステップＳ２１）。
（２）システム制御部６が、レーザーダイオード使用履歴記録部７内に記憶されている使用履歴に基づいて、光ピックアップ部２内の複数のレーザーダイオードの点灯順序を設定し、該設定順序に従って光ピックアップ部２のフォーカス引き込みを行う。（ステップＳ２２）。
（３）システム制御部６が、ユニットベース駆動回路１０を制御して、スピンドルモータ１１を所定速度で回転させ、さらに、光ピックアップ部駆動回路９を制御してトラッキングサーボの引き込みを行い、現在ロードされているディスクを認識して該複数のレーザーダイオードのうちから該ディスクに対応したものを選択し、記録または再生を開始させるとともに、該選択して記録または再生に使用したレーザーダイオードをレーザーダイオード使用履歴記録部７内に記憶させる（ステップＳ２３）。
（４）さらに、あらためて記録または再生を行う場合、新たにディスクをロードする（ステップＳ２４）。
（５）システム制御部６が、上記ステップＳ２３において選択し記録または再生に使用したレーザーダイオードを、レーザーダイオード使用履歴記録部７に記憶された使用履歴から判別する（ステップＳ２５）。
（６）上記ステップＳ２５における判別の結果、上記ステップＳ２３において選択し記録または再生に使用したレーザーダイオードがＬＤＡであった場合は、システム制御部６は、３個のレーザーダイオードの点灯順序を、ＬＤＡ、ＬＤＢ、ＬＤＣの順に点灯させる順序に設定し、該順序に従って、ＬＤＡ、ＬＤＢ、ＬＤＣの全部または一部のものを点灯させ、フォーカスサーボの引き込みを行う（ステップＳ２６）。
（７）上記ステップＳ２５における判別の結果、上記ステップＳ２３において選択し記録または再生に使用したレーザーダイオードがＬＤＢであった場合は、システム制御部６は、３個のレーザーダイオードの点灯順序を、ＬＤＢ、ＬＤＡ、ＬＤＣの順に点灯させる順序に設定し、該順序に従って、ＬＤＡ、ＬＤＢ、ＬＤＣの全部または一部のものを点灯させ、フォーカスサーボの引き込みを行う（ステップＳ２７）。
（８）また、上記ステップＳ２５における判別の結果、上記ステップＳ２３において選択し記録または再生に使用したレーザーダイオードがＬＤＣであった場合は、システム制御部６は、３個のレーザーダイオードの点灯順序を、ＬＤＣ、ＬＤＡ、ＬＤＢの順に点灯させる順序に設定し、該順序に従って、ＬＤＡ、ＬＤＢ、ＬＤＣの全部または一部のものを点灯させ、フォーカスサーボの引き込みを行う（ステップＳ２８）。
（９）上記ステップＳ２６、ステップＳ２７またはステップＳ２８に続き、システム制御部６は、ディスクの回転、トラッキングサーボの引き込みなどを行わせてディスクの認識を行い、該ディスクに対応したレーザーダイオードを選択し、該選択したレーザーダイオードによる記録または再生動作を開始させるとともに、該選択したレーザーダイオードをレーザーダイオード使用履歴記録部７内に記憶させる（ステップＳ２９）。
【００１２】
上記実施例によれば、記録再生装置において、ロードしたディスクに対し、フォーカスサーボの引き込みやトラッキングサーボの引き込みや、複数のレーザーダイオード中から対応するものの選択など一連の動作を短期間で行うことができ、記録または再生動作開始までの時間を短縮することができる。
【００１３】
なお、上記実施例では、最新の使用履歴の（＝直前に使用した）レーザーダイオードから順に点灯させる点灯順序の場合につき述べたが、この他、例えば、使用頻度の高いレーザーダイオードから順に点灯させる点灯順序の場合も、上記実施例の場合の構成・動作とほぼ同様である。また、上記実施例では３個のレーザーダイオードを用い該３個の点灯順序の設定を変える構成としたが、本発明はこれに限定されず、例えば、該３個のレーザーダイオードうちの２個につき点灯順序の設定を変えるようにしてもよいし、２個のレーザーダイオードを用いて該２個の点灯順序の設定を変える構成としてもよい。４個以上のレーザーダイオードを用い、適宜それらの点灯順序の設定を変えるようにしてもよい。
【００１４】
【発明の効果】
本発明によれば、記録再生装置において、ロードされたディスクに対し短時間のうちに記録または再生動作に入ることが可能となる。
【図面の簡単な説明】
【図１】本発明の記録再生装置の一実施例を示す図である。
【図２】図１の記録再生装置の動作説明図である。
【符号の説明】
１…ディスク、  ２…光ピックアップ部、  ３…ユニットベース、  ４…光検出器、  ５…信号処理回路、  ６…システム制御部、  ７…レーザーダイオード使用履歴記録部、  ８…インターフェース制御部、  ９…光ピックアップ駆動回路、  １０…ユニットベース駆動回路、  １１…スピンドルモータ。
【図１】
2004241076.tif 000003
【図２】
2004241076.tif 000004